(57)【要約】【課題】本体に接続されたファンモータまたは電流計測手段の状態が機種設定手段により設定された制御仕様とは異なるかどうかを判定することで異常判定を行い、判定された異常の状況に応じてファンモータの駆動制御を行う送風装置を提供することを目的とする。【解決手段】本体１に、ファンモータ２ａの駆動電流を計測する電流計測手段としてカレントトランス５と、制御対象となるファンモータ２ａの制御仕様を設定する機種設定手段としてディップスイッチ６と、を備えた送風装置であって、本体に接続されたファンモータまたはカレントトランスの状態がディップスイッチにより設定された制御仕様とは異なるかどうかを判定するための異常判定手段を備える送風装置である。【選択図】図１
2008092661.tif 000002
【特許請求の範囲】
【請求項１】
本体と、送風を行う１台以上のファンモータと、前記ファンモータの駆動制御を行う制御手段と、前記ファンモータと前記制御手段とを電気的に接続する接続手段と、前記ファンモータの駆動電流を計測する電流計測手段と、制御対象となるファンモータの制御仕様の設定を行う機種設定手段と、を備えた送風装置において、前記ファンモータ又は前記電流計測手段の異常を判定する異常判定手段を備え、前記異常判定手段により、本体に接続されたファンモータまたは前記電流計測手段の状態が前記機種設定手段により設定された制御仕様とは異なるかどうかを判定することを特徴とする送風装置。
【請求項２】
前記異常判定手段により、前記機種設定手段により設定された制御対象となるファンモータの台数よりも多い数のファンモータが接続されたことを判定することを特徴とする請求項１に記載の送風装置。
【請求項３】
前記異常判定手段により、前記機種設定手段により設定された制御対象となるファンモータの台数よりも少ない数のファンモータが接続されたことを判定することを特徴とする請求項１に記載の送風装置。
【請求項４】
前記異常判定手段により、全てのファンモータが前記機種設定手段により設定された制御対象となるファンモータに対応する接続手段とは異なる位置に取り付けられた接続手段に接続されたことを判定することを特徴とする請求項１に記載の送風装置。
【請求項５】
複数台の前記ファンモータと、ファンモータ各々の駆動電流を計測する計測手段を備え、前記異常判定手段により、いくつかのファンモータが前記機種設定手段により設定された制御対象となるファンモータに対応する接続手段とは異なる位置に取り付けられた接続手段に接続されたことを判定することを特徴とする請求項１に記載の送風装置。
【請求項６】
前記異常判定手段により、電源投入直後に１つ以上の電流計測手段による１つ以上のファンモータの電流計測値が閾値以下となればファンモータの接点異常もしくは電流計測手段の接点異常であることを判定することを特徴とする請求項１に記載の送風装置。
【請求項７】
前記異常判定手段により、ファンモータの接点異常もしくは電流計測手段の接点異常であることを判定し、電流計測値が閾値以下であるファンモータ以外のファンモータを停止させることを特徴とする請求項６に記載の送風装置。
【請求項８】
前記異常判定手段により、ファンモータの接点異常もしくは電流計測手段の接点異常であることを判定し電流計測値が閾値以下であるファンモータ以外のファンモータを継続して稼動し続けさせることを特徴とする請求項６に記載の送風装置。
【請求項９】
前記異常判定手段により、ファンモータの接点異常もしくは電流計測手段の接点異常であることを判定し電流計測値が閾値以下であるファンモータ以外のファンモータを停止させた後に再度稼動させることを特徴とする請求項８に記載の送風装置。
【請求項１０】
前記異常判定手段により、ファンモータ稼動中に１つ以上の電流計測手段による１つ以上のファンモータの電流計測値が閾値以下となればファンモータ故障もしくは電流計測手段故障であることを判定することを特徴とする請求項１に記載の送風装置。
【請求項１１】
前記異常判定手段により、ファンモータ故障もしくは電流計測手段故障であることを判定し、電流計測値が閾値以下であるファンモータ以外のファンモータを停止させることを特徴とする請求項１０に記載の送風装置。
【請求項１２】
前記異常判定手段により、ファンモータ故障もしくは電流計測手段故障であることを判定し、電流計測値が閾値以下であるファンモータ以外のファンモータを継続して稼動し続けさせることを特徴とする請求項１０に記載の送風装置。
【請求項１３】
前記異常判定手段により、ファンモータ故障もしくは電流計測手段故障であることを判定し、電流計測値が閾値以下であるファンモータを制御手段により停止させた後に再度稼動させることを特徴とする請求項１２に記載の送風装置。
【発明の詳細な説明】
【技術分野】
【０００１】
本発明は、ファンモータ又は電流計測手段の異常を判定する異常判定手段を備えた送風装置に関する。
【背景技術】
【０００２】
従来、この種の送風装置は、電流計測手段を用いてファンモータの異常が発生したことを判定し、ファンモータを停止するものであった（例えば、特許文献１または２参照）。
【特許文献１】特開平７−１７７６５０号公報
【特許文献２】特開平７−１２３５８３号公報
【発明の開示】
【発明が解決しようとする課題】
【０００３】
しかしながら、以上説明した従来の送風装置は次のような課題がある。前述の従来の方法は、１つ以上のファンモータ及び電流計測手段において、接続異常や接点異常等が発生したことの判定を行うことができず、また異常発生時に一方的にファンモータを停止するのみであり、状況に応じたファンモータの駆動制御を行うことができない。
【０００４】
本発明の送風装置は、上記従来の課題を解決するものであり、ファンモータ又は電流計測手段の異常を判定する異常判定手段を備えることを特徴とする送風装置を備え、本体に接続されたファンモータまたは電流計測手段の状態が機種設定手段により設定された制御仕様とは異なるかどうかを判定することで異常判定を行い、判定された異常の状況に応じてファンモータの駆動制御を行うことを目的とする。
【課題を解決するための手段】
【０００５】
本発明の送風装置は上記目的を達成するために、本体と、送風を行う１台以上のファンモータと、前記ファンモータの駆動制御を行う制御手段と、前記ファンモータと前記制御手段とを電気的に接続する接続手段と、前記ファンモータの駆動電流を計測する電流計測手段と、制御対象となる前記ファンモータの制御仕様の設定を行う機種設定手段と、を備えた送風装置において、前記ファンモータ又は前記電流計測手段の異常を判定する異常判定手段を備え、前記異常判定手段により、本体に接続された前記ファンモータまたは前記電流計測手段の状態が前記機種設定手段により設定された制御仕様とは異なるかどうかを判定することを特徴とする。
【０００６】
この手段により、前記ファンモータ又は前記電流計測手段の故障、接続異常又は機種設定異常を検知する効果が得られる。
【０００７】
また、他の手段は、前記異常判定手段により、前記機種設定手段により設定された制御対象となるファンモータの台数よりも多い数のファンモータが接続されたことを判定することを特徴とする。
【０００８】
この手段により、前記機種設定手段による機種設定異常や、前記ファンモータ又は前記電流計測手段の接続異常を検知する効果が得られる。
【０００９】
また、他の手段は、前記異常判定手段により、前記機種設定手段により設定された制御対象となるファンモータの台数よりも少ない数のファンモータが接続されたことを判定することを特徴とする。
【００１０】
この手段により、前記機種設定手段による機種設定異常や、前記ファンモータ又は前記電流計測手段の接続異常を検知する効果が得られる。
【００１１】
また、他の手段は、前記異常判定手段により、全てのファンモータが前記機種設定手段により設定された制御対象となるファンモータに対応する接続手段とは異なる位置に取り付けられた接続手段に接続されたことを判定することを特徴とする。
【００１２】
この手段により、前記ファンモータ又は前記電流計測手段の接続異常を検知する効果が得られる。
【００１３】
また、他の手段は、複数台の前記ファンモータと、ファンモータ各々の駆動電流を計測する計測手段を備え、前記異常判定手段により、いくつかのファンモータが前記機種設定手段により設定された制御対象となるファンモータに対応する接続手段とは異なる位置に取り付けられた接続手段に接続されたことを判定することを特徴とする。
【００１４】
この手段により、前記ファンモータ又は前記電流計測手段の接続異常を検知する効果が得られる。
【００１５】
また、他の手段は、前記異常判定手段により、電源投入直後に１つ以上の電流計測手段による１つ以上のファンモータの電流計測値が閾値以下となればファンモータの接点異常もしくは電流計測手段の接点異常であることを判定することを特徴とする。
【００１６】
この手段により、前記ファンモータ又は前記電流計測手段の接点異常を検知する効果が得られる。
【００１７】
また、他の手段は、前記異常判定手段により、ファンモータの接点異常もしくは電流計測手段の接点異常であることを判定し、電流計測値が閾値以下であるファンモータ以外のファンモータを停止させることを特徴とする。
【００１８】
この手段により、前記ファンモータ又は前記電流計測手段の接点異常が発生した場合に異常が発生したファンモータを安全に停止させる効果が得られる。
【００１９】
また、他の手段は、前記異常判定手段により、ファンモータの接点異常もしくは電流計測手段の接点異常であることを判定し電流計測値が閾値以下であるファンモータ以外のファンモータを継続して稼動し続けさせることを特徴とする。
【００２０】
この手段により、前記ファンモータ又は前記電流計測手段の接点異常が発生した場合であっても交換などの対応処置がなされるまではファンモータを運転させ続ける効果が得られる。
【００２１】
また、他の手段は、前記異常判定手段により、ファンモータの接点異常もしくは電流計測手段の接点異常であることを判定し電流計測値が閾値以下であるファンモータ以外のファンモータを停止させた後に再度稼動させることを特徴とする。
【００２２】
この手段により、前記ファンモータ又は前記電流計測手段の接点異常が発生した場合に、一定時間経過後に再度ファンモータの駆動制御を行う効果が得られる。
【００２３】
また、他の手段は、前記異常判定手段により、ファンモータ稼動中に１つ以上の電流計測手段による１つ以上のファンモータの電流計測値が閾値以下となればファンモータ故障もしくは電流計測手段故障であることを判定することを特徴とする。
【００２４】
この手段により、前記ファンモータ又は前記電流計測手段の故障を検知する効果が得られる。
【００２５】
また、他の手段は、前記異常判定手段により、ファンモータ故障もしくは電流計測手段故障であることを判定し、電流計測値が閾値以下であるファンモータ以外のファンモータを停止させることを特徴とする。
【００２６】
この手段により、前記ファンモータ又は前記電流計測手段の故障が発生した場合に異常が発生したファンモータを安全に停止させる効果が得られる。
【００２７】
また、他の手段は、前記異常判定手段により、ファンモータ故障もしくは電流計測手段故障であることを判定し、電流計測値が閾値以下であるファンモータ以外のファンモータを継続して稼動し続けさせることを特徴とする。
【００２８】
この手段により、前記ファンモータ又は前記電流計測手段の故障が発生した場合であっても交換などの対象処置がなされるまではファンモータを運転させ続ける効果が得られる。
【００２９】
また、他の手段は、前記異常判定手段により、ファンモータ故障もしくは電流計測手段故障であることを判定し、電流計測値が閾値以下であるファンモータ以外のファンモータを継続して稼動し続けさせることを特徴とする。
【００３０】
この手段により、前記ファンモータ又は前記電流計測手段の故障が発生した場合に、一定時間経過後に再度ファンモータの駆動制御を行う効果が得られる。
【発明の効果】
【００３１】
本発明によれば、ファンモータ又は電流計測手段の異常を判定することができ、ファンモータ異常以外の異常についても判定することができる。また判定結果に基づき、ファンモータ又は電流計測手段の異常に応じた運転ができる。
【発明を実施するための最良の形態】
【００３２】
請求項１記載の発明は、本体と、送風を行う１台以上の前記ファンモータと、前記ファンモータの駆動制御を行う制御手段と、前記ファンモータと前記制御手段とを電気的に接続する接続手段と、前記ファンモータの駆動電流を計測する電流計測手段と、制御対象となる前記ファンモータの制御仕様の設定を行う機種設定手段と、を備えた送風装置において、前記ファンモータ又は前記電流計測手段の異常を判定する異常判定手段を備え、前記異常判定手段により、本体に接続された前記ファンモータまたは前記電流計測手段の状態が前記機種設定手段により設定された制御仕様とは異なるかどうかを判定することを特徴とする送風装置であり、前記機種設定手段により設定された制御仕様と、前記電流計測手段により計測された駆動電流とを比較することで、前記ファンモータ又は前記電流計測手段の異常を検知するという作用を有する。
【００３３】
請求項２記載の発明は、前記異常判定手段により、前記機種設定手段により設定された制御対象となるファンモータの台数よりも多い数のファンモータが接続されたことを判定することを特徴とする送風装置であり、前記機種設定手段により設定された制御仕様と、前記電流計測手段により計測された駆動電流とを比較することで、前記機種設定手段による機種設定異常や、前記ファンモータ又は前記電流計測手段の接続異常を検知するという作用を有する。
【００３４】
請求項３記載の発明は、前記異常判定手段により、前記機種設定手段により設定された制御対象となるファンモータの台数よりも少ない数のファンモータが接続されたことを判定することを特徴とする送風装置であり、前記機種設定手段により設定された制御仕様と、前記電流計測手段により計測された駆動電流とを比較することで、前記機種設定手段による機種設定異常や、前記ファンモータ又は前記電流計測手段の接続異常を検知するという作用を有する。
【００３５】
請求項４記載の発明は、前記異常判定手段により、全てのファンモータが前記機種設定手段により設定された制御対象となるファンモータに対応する接続手段とは異なる位置に取り付けられた接続手段に接続されたことを判定することを特徴とする送風装置であり、前記機種設定手段により設定された制御仕様と、前記電流計測手段により計測された駆動電流とを比較することで、前記ファンモータ又は前記電流計測手段の接続異常を検知するという作用を有する。
【００３６】
請求項５記載の発明は、複数台の前記ファンモータと、ファンモータ各々の駆動電流を計測する計測手段を備え、前記異常判定手段により、いくつかのファンモータが前記機種設定手段により設定された制御対象となるファンモータに対応する接続手段とは異なる位置に取り付けられた接続手段に接続されたことを判定することを特徴とする送風装置であり、前記機種設定手段により設定された制御仕様と、前記電流計測手段により計測された駆動電流とを比較することで、前記ファンモータ又は前記電流計測手段の接続異常を検知するという作用を有する。
【００３７】
請求項６記載の発明は、前記異常判定手段により、電源投入直後に１つ以上の電流計測手段による１つ以上のファンモータの電流計測値が閾値以下となればファンモータの接点異常もしくは電流計測手段の接点異常であることを判定することを特徴とする送風装置であり、前記機種設定手段により設定された制御仕様と、前記電流計測手段により計測された駆動電流とを比較することで、前記ファンモータ又は前記電流計測手段の接点異常を検知するという作用を有する。
【００３８】
請求項７記載の発明は、前記異常判定手段により、ファンモータの接点異常もしくは電流計測手段の接点異常であることを判定し、電流計測値が閾値以下であるファンモータ以外のファンモータを停止させることを特徴とする送風装置であり、前記機種設定手段により設定された制御仕様と、前記電流計測手段により計測された駆動電流とを比較することで、前記ファンモータ又は前記電流計測手段の接点異常を検知し、異常が発生したファンモータを安全に停止させるという作用を有する。
【００３９】
請求項８記載の発明は、前記異常判定手段により、ファンモータの接点異常もしくは電流計測手段の接点異常であることを判定し電流計測値が閾値以下であるファンモータ以外のファンモータを継続して稼動し続けさせることを特徴とする送風装置であり、前記機種設定手段により設定された制御仕様と、前記電流計測手段により計測された駆動電流とを比較することで、前記ファンモータ又は前記電流計測手段の接点異常を検知し、交換がなされるまではファンモータを運転させ続けるという作用を有する。
【００４０】
請求項９記載の発明は、前記異常判定手段により、ファンモータの接点異常もしくは電流計測手段の接点異常であることを判定し電流計測値が閾値以下であるファンモータ以外のファンモータを停止させた後に再度稼動させることを特徴とする送風装置であり、前記機種設定手段により設定された制御仕様と、前記電流計測手段により計測された駆動電流とを比較することで、前記ファンモータ又は前記電流計測手段の接点異常を検知し、一定時間経過後に再度ファンモータの駆動制御を行うという作用を有する。
【００４１】
請求項１０記載の発明は、前記異常判定手段により、ファンモータ稼動中に１つ以上の電流計測手段による１つ以上のファンモータの電流計測値が閾値以下となればファンモータ故障もしくは電流計測手段故障であることを判定することを特徴とする送風装置であり、前記機種設定手段により設定された制御仕様と、前記電流計測手段により計測された駆動電流とを比較することで、前記ファンモータ又は前記電流計測手段の故障を検知するという作用を有する。
【００４２】
請求項１１記載の発明は、前記異常判定手段により、ファンモータ故障もしくは電流計測手段故障であることを判定し、電流計測値が閾値以下であるファンモータ以外のファンモータを停止させることを特徴とする送風装置であり、前記機種設定手段により設定された制御仕様と、前記電流計測手段により計測された駆動電流とを比較することで、前記ファンモータ又は前記電流計測手段の故障を検知し、異常が発生したファンモータを安全に停止させるという作用を有する。
【００４３】
請求項１２記載の発明は、前記異常判定手段により、ファンモータ故障もしくは電流計測手段故障であることを判定し、電流計測値が閾値以下であるファンモータ以外のファンモータを継続して稼動し続けさせることを特徴とする送風装置であり、前記機種設定手段により設定された制御仕様と、前記電流計測手段により計測された駆動電流とを比較することで、前記ファンモータ又は前記電流計測手段の故障を検知し、交換がなされるまではファンモータを運転させ続けるという作用を有する。
【００４４】
請求項１３記載の発明は、前記異常判定手段により、ファンモータ故障もしくは電流計測手段故障であることを判定し、電流計測値が閾値以下であるファンモータ以外のファンモータを継続して稼動し続けさせることを特徴とする送風装置であり、前記機種設定手段により設定された制御仕様と、前記電流計測手段により計測された駆動電流とを比較することで、前記ファンモータ又は前記電流計測手段の故障を検知し、一定時間経過後に再度ファンモータの駆動制御を行うという作用を有する。
【００４５】
（実施の形態１）
図１及び図２は本発明の実施の形態における送風装置の構成を示す図である。図１及び図２において、本体１の内部に本体１周辺の空気を送風するための手段としてファンモータ２ａを設け、ファンモータ２ａの回転制御を行うための制御手段としてマイコン３を設け、回転制御されるファンモータ２ａとマイコン３とを電気的に接続するための接続手段としてコネクタ４ａ、コネクタ４ｂ、コネクタ４ｃを設け、コネクタ４ａを介してファンモータ２ａの駆動電流値を計測しマイコン３に出力するための電流測定手段としてカレントトランス５を設け、マイコン３が駆動制御するファンモータ２ａの駆動制御方式や台数や接続されるコネクタ４ａ、コネクタ４ｂ、コネクタ４ｃの位置などの制御仕様を設定する機種設定手段としてディップスイッチ６を設け、カレントトランス５から得られた駆動電流値及びディップスイッチ６により設定された制御仕様を元にファンモータ２ａまたはカレントトランス５の異常を検出するための異常判定手段としてマイコン３内部に異常判定プログラム７を設け、構成する。なお、本発明の実施の形態において、本体に接続されたファンモータ又は電流計測手段の状態とは、ファンモータが接続されたコネクタの位置、接続されたファンモータの台数、駆動電流を計測するカレントトランスの台数、ファンモータ・コネクタ・カレントトランスの電気的な接続が正しく行われているか、ファンモータ・カレントトランスが故障していないかどうか、を示す。また、機種設定手段により設定された制御仕様とは、ファンモータが接続されるべきコネクタの位置、接続されるべきファンモータの台数、接続されるべきカレントトランスの台数、マイコンが制御するファンモータの制御方法、を示す。
【００４６】
上記構成において、本発明の異常判定における動作を説明する。なお、本実施例において、コネクタ４ｂ及びコネクタ４ｃは接続されていないが、ファンモータの構成数や制御方法など製品仕様の変更をソフトウェアの変更により行うことで、制御基板を共用化して部品単価を下げるということを行う。本実施例もそのような状況を想定し、例として１ファン構成から３ファン構成までが可能な制御基板を用いて説明する。
【００４７】
図３に本発明の実施の形態における送風装置の動作を示すブロック図を示す。本発明の送風装置が運転を開始すると、マイコン３はディップスイッチ６により設定された制御仕様を元にコネクタ４ａを介して駆動制御すべきファンモータ２ａの駆動制御を開始する。このとき送風装置に異常がなければファンモータ２ａはマイコン３の制御方法の通り通常の駆動制御を行う。
【００４８】
送風装置の異常のひとつとしてファンモータ２ａの故障時における異常判定を例に挙げる。ディップスイッチ６により設定された制御仕様は、電源投入後ファンモータ常時オン、オン時１００％の出力で駆動、１ファン駆動、接続コネクタがコネクタ４ａ、であり、またファンモータ２ａが１００％で回転している際の電流計測値は１０００ｍＡとする。
【００４９】
次に、本発明の異常判定プログラム７が行う異常判定動作について説明する。電源投入後はファンモータ２ａが常時オンであるため、対応するカレントトランス５も駆動電流に比例した計測値が出力されるべきであり、駆動制御中はファンモータ２ａが１００％で回転しており、またその際の電流計測値は１０００ｍＡである。ここで、駆動制御中にカレントトランス５の電流計測値が何らかの原因により数ｍＡに低下したとする。この時、カレントトランス５により計測された駆動電流である数ｍＡと、制御仕様から推測される駆動電流である１０００ｍＡとの間に大きな差が発生する。この駆動電流の差を検出することで、異常判定プログラム７はファンモータ２ａ、カレントトランス５またはコネクタ４ａにおいて何らかの異常が発生したことを判定できる。
【００５０】
従って本実施の形態により、異常判定プログラムは、カレントトランスの計測した駆動電流と、ディップスイッチにより設定された制御仕様との齟齬を検知することで、異常判定プログラムはファンモータまたはカレントトランスが制御仕様通りではないという異常を判定する効果がある。その結果、どのファンモータに回転数が低下する異常が発生したかを検知することができる。
【００５１】
（実施の形態２）
図４は本発明の実施の形態における送風装置の構成を示す図である。
【００５２】
図５に本発明の実施の形態における送風装置の動作を示すブロック図を示す。本実施の形態では、回転制御されるファンモータ２ｂを設け、ファンモータ２ａ及びファンモータ２ｂの駆動電流をそれぞれ計測しマイコン３に出力するためのカレントトランス５を設け、構成する。実施の形態１と同一部分は同一番号を付し詳細な説明は省略する。
【００５３】
上記構成において、本発明の実施の形態において、ディップスイッチ６により設定された制御対象となるファンモータの台数よりも多い数のファンモータが接続された異常を判定する際の動作を説明する。
【００５４】
ディップスイッチ６により設定された制御仕様は電源投入後ファンモータ常時オン、オン時１００％の出力で駆動、１ファン駆動、接続コネクタがコネクタ４ａ、であり、またファンモータが１００％の駆動制御を受けて回転している際の電流計測値は１０００ｍＡとする。
【００５５】
送風装置に異常がなければファンモータはマイコンの制御方法の通り通常の駆動を行う。ディップスイッチ６によって設定された制御仕様では、コネクタ４ａに接続されたファンモータ２ａのみの１ファン駆動であり、コネクタ４ｂには接続がなされていないことが正しい動作となる。本実施の形態における制御仕様は１ファン駆動であるが、１ファン駆動の送風装置と同様の制御基板を複数ファン駆動の送風装置と共用することで、それぞれの制御仕様に対して制御基板の設計をし直すコストを省くということが行われる。この場合、様々な制御仕様に対して１種類の制御基板を用いるため、使用しないコネクタ４ｂ、コネクタ４ｃであっても実装された状態で製品に組み込まれることがある。一方で、製造現場での組立工程における誤りにより、１ファン駆動設定にも関わらず複数のファンモータを接続してしまうという、本来の制御仕様とは異なる組立作業が行われてしまうことが起こり得る。
【００５６】
例えば、上記１ファン駆動設定においてファンモータ２ｂを接続した場合、制御仕様とファンモータ２ｂの接続状態に齟齬が生じる。コネクタ４ｂにファンモータ２ｂが接続された場合、カレントトランス５からはファンモータ２ａの駆動電流１０００ｍＡに加え、ファンモータ２ｂの駆動電流１０００ｍＡも計測される。マイコン３はカレントトランス５よりファンモータ２ａに加えてファンモータ２ｂからの出力を受け取るため、ディップスイッチ６で設定されたファンモータ２ａのみがコネクタ４ａに接続されるという制御仕様との齟齬を検知することで、異常判定プログラム７は制御仕様に対してファンモータ２ｂが余計に接続され駆動しているという異常を判定する。
【００５７】
従って本実施の形態により、ファンモータ及びファンモータを駆動制御するための制御基板を複数の制御仕様で共用する場合において、ディップスイッチにより設定された制御仕様と、カレントトランスを用いて計測された駆動電流とを比較することで、接続されたファンモータの数を特定し、制御仕様よりも多い数のファンモータが接続されているという異常を判定するという効果がある。その結果、工場の組立工程において、ファンモータの接続ミスを検知することができる。
【００５８】
（実施の形態３）
図６は本発明の実施の形態における送風装置の動作を示すブロック図を示す。実施の形態２と同一部分は同一番号を付し詳細な説明は省略する。
【００５９】
上記構成において、本発明の実施の形態において、ディップスイッチ６により設定された制御対象となるファンモータの台数よりも少ない数のファンモータが接続された異常を判定する際の動作を説明する。
【００６０】
ディップスイッチ６により設定された制御仕様は電源投入後ファンモータ常時オン、オン時１００％の出力で駆動、２ファン駆動、接続コネクタがコネクタ４ａ及びコネクタ４ｂ、であり、またファンモータが１００％の駆動制御を受けて回転している際の電流計測値は１０００ｍＡとする。
【００６１】
送風装置に異常がなければファンモータ２ａ及びファンモータ２ｂはマイコンの制御方法の通り通常の駆動を行う。ディップスイッチ６によって設定された制御仕様では、コネクタ４ａ及びコネクタ４ｂに接続されたファンモータ２ａ及びファンモータ２ｂの２ファン駆動であり、カレントトランス５からは２台のファンモータ分の電流が計測されるのが正しい動作となる。しかしファンモータ２ｂの接続が、例えば組立工程における作業ミスにより接続されなかった場合、制御仕様とファンモータ２ｂの接続状態に齟齬が生じる。コネクタ４ｂのファンモータ２ｂの接続がなされない場合、カレントトランス５からはファンモータ２ａの駆動電流である１０００ｍＡを計測してマイコン３に出力する一方で、ファンモータ２ｂの駆動電流は計測されない。マイコン３はファンモータ２ｂからの出力を受け取らないため、ディップスイッチ６で設定されたファンモータ２ａ及びファンモータ２ｂがコネクタ４ａ及びコネクタ４ｂに接続されるという制御仕様との齟齬を検知することで、異常判定プログラム７は制御仕様に対してファンモータ２ｂが接続されていないことを判定する。
【００６２】
従って本実施の形態により、ファンモータ及びファンモータを駆動制御するための制御基板を複数の制御仕様で共用する場合において、ディップスイッチにより設定された制御仕様と、カレントトランスを用いて計測された駆動電流とを比較することで、接続されたファンモータの数を特定し、制御仕様よりも少ない数のファンモータが接続されているという異常を判定するという効果がある。その結果、工場の組立工程において、ファンモータの接続ミスを検知することができる。
【００６３】
（実施の形態４）
図７は本発明の実施の形態における送風装置の動作を示すブロック図を示す。実施の形態１と同一部分は同一番号を付し詳細な説明は省略する。
【００６４】
上記構成において、本発明の実施の形態において、ディップスイッチ６により設定された制御対象となるファンモータの全てが、対応するコネクタとは異なる位置に取り付けられたコネクタに接続された異常を判定する際の動作を説明する。
【００６５】
ディップスイッチ６により設定された制御仕様は電源投入後ファンモータ常時オン、オン時１００％の出力で駆動、１ファン駆動、接続コネクタがコネクタ４ａであり、またファンモータが１００％の駆動制御を受けて回転している際の電流計測値は１０００ｍＡとする。
【００６６】
送風装置に異常がなければファンモータ２ａはマイコンの制御方法の通り通常の駆動を行う。ディップスイッチ６によって設定された制御仕様では、コネクタ４ａに接続されたファンモータ２ａのみの１ファン駆動であり、コネクタ４ｂには接続がなされていないことが正しい動作となる。しかし、実施の形態２と同様の理由により制御基板を共用した場合、ファンモータ２ａを誤ってコネクタ４ｂに接続して電源投入をし、制御仕様とファンモータの接続状態に齟齬生じるということが起こり得る。コネクタ４ｂにファンモータ２ａが接続された場合、コネクタ４ａを流れる駆動電流が計測されないにも関わらず、コネクタ４ｂを流れる駆動電流は１０００ｍＡが計測される。マイコン３はファンモータ２ｂからの出力のみを受け取るため、ディップスイッチ６で設定されたファンモータ２ａのみがコネクタ４ａに接続されるという制御仕様との齟齬を検知することで、異常判定プログラム７は制御仕様に対してファンモータ２ａが誤ってコネクタ４ｂに接続され駆動していることを判定する。
【００６７】
従って本実施の形態により、ファンモータを駆動制御するための制御基板を複数の制御仕様で共用する場合において、ディップスイッチにより設定された制御仕様と、カレントトランスを用いて計測された駆動電流とを比較することで、ファンモータが接続されたコネクタの位置を特定し、制御仕様とは異なるコネクタに接続されているという異常を判定するという効果がある。その結果、工場の組立工程において、ファンモータの接続ミスを検知することができる。
【００６８】
（実施の形態５）
図８は本発明の実施の形態における送風装置の動作を示すブロック図を示す。実施の形態２と同一部分は同一番号を付し詳細な説明は省略する。
【００６９】
上記構成において、本発明の実施の形態において、ディップスイッチ６により設定された制御対象となるファンモータのうちいくつかが、対応するコネクタとは異なる位置に取り付けられたコネクタに接続された異常を判定する際の動作を説明する。
【００７０】
ディップスイッチ６により設定された制御仕様は電源投入後ファンモータ常時オン、オン時１００％の出力で駆動、２ファン駆動、接続コネクタがコネクタ４ａ及びコネクタ４ｂ、であり、またファンモータが１００％の駆動制御を受けて回転している際の電流計測値は１０００ｍＡとする。
【００７１】
送風装置に異常がなければファンモータ２ａはマイコンの制御方法の通り通常の駆動を行う。ディップスイッチ６によって設定された制御仕様では、コネクタ４ａ及びコネクタ４ｂに接続されたファンモータ２ａ及びファンモータ２ｂの２ファン駆動であり、カレントトランス５からはコネクタ４ａ及びコネクタ４ｂからの電流が計測されるのが正しい動作となる。しかし、実施の形態２と同様の理由により制御基板を共用した場合、電源投入前にファンモータ２ｂの接続が、例えば組立工程における接続ミスによりコネクタ４ｃに接続されてしまった場合、制御仕様とファンモータの接続状態に齟齬が起こり得る。ファンモータ２ｂからの駆動電流が計測されない一方で、コネクタ４ｃからはファンモータ２ｂの駆動電流が計測されマイコン３へと出力される。マイコン３はファンモータ２ｂからの出力をコネクタ４ｂからではなくコネクタ４ｃより受け取るため、ディップスイッチ６で設定されたファンモータ２ａ及びファンモータ２ｂがコネクタ４ａ及びコネクタ４ｂに接続されるという制御仕様との齟齬を検知することで、異常判定プログラム７は制御仕様に対してファンモータ２ｂが接続ミスにより制御仕様とは異なるコネクタ４ｃに接続されていることを判定する。
【００７２】
従って本実施の形態により、ファンモータを駆動するための制御基板を複数の制御仕様で共用する場合において、ディップスイッチにより設定された制御仕様と、カレントトランスを用いて計測された駆動電流とを比較することで、それぞれのファンモータが接続されたコネクタの位置を特定し、制御仕様に対して正しいコネクタに接続されているファンモータと誤ったコネクタに接続されているファンモータとを判定し、１台でも誤ったコネクタに接続されているファンモータがあった場合は異常と判定するという効果がある。その結果、工場の組立工程において、ファンモータの接続ミスを検知することができる。
【００７３】
（実施の形態６）
図９は本発明の実施の形態における送風装置の動作を示すブロック図を示す。本実施の形態では、回転制御されるファンモータ２ｃを設け、ファンモータ２ａ及びファンモータ２ｂ及びファンモータ２ｃの駆動電流をそれぞれ計測しマイコンに出力するためのカレントトランス５を設け、構成する。実施の形態１と同一部分は同一番号を付し詳細な説明は省略する。
【００７４】
上記構成において、本発明の実施の形態において、電源投入直後にカレントトランス５によるファンモータ２ａ、ファンモータ２ｂ、ファンモータ２ｃのいずれか又は複数の電流計測値が閾値以下となれば、該当するファンモータ２ａ、ファンモータ２ｂ、ファンモータ２ｃのいずれか又は全ての接点異常もしくは、該当するカレントトランス５の接点異常を判定する際の動作を説明する。
【００７５】
ディップスイッチ６により設定された制御仕様は電源投入後ファンモータ常時オン、オン時１００％の出力で駆動、３ファン駆動、接続コネクタがコネクタ４ａ及びコネクタ４ｂ及びコネクタ４ｃ、であり、またファンモータが１００％の駆動制御を受けて回転している際の電流計測値は１０００ｍＡとする。
【００７６】
送風装置に異常がなければファンモータ２ａはマイコンの制御方法の通り通常の駆動を行う。ディップスイッチ６によって設定された制御仕様では、コネクタ４ａ及びコネクタ４ｂ及びコネクタ４ｃに接続されたファンモータ２ａ及びファンモータ２ｂ及びファンモータ２ｃの３ファン駆動であり、カレントトランス５からはコネクタ４ａ及びコネクタ４ｂ及びコネクタ４ｃからの電流が計測されるのが正しい動作となる。しかし、ファンモータのうちのいずれか又は複数において、ファンモータとコネクタとの接点、コネクタとマイコンとの接点、カレントトランス５とマイコンとの接点異常など、様々な接点の不良に起因する電流測定値の測定不良または動作の異常が発生し、制御仕様と電流測定値との間に齟齬が起こり得る。
【００７７】
例として、ファンモータ２ａに接点不良箇所８が発生した場合の動作について説明する。電源投入後に一定時間、例えば４秒程度の判定禁止時間を設け、電源投入直後の駆動電流が不安定な区間を除く処理を行った後、異常判定を行う。まず、測定された電流値には閾値を設けてあり、例えば１００ｍＡとした場合、１００ｍＡ〜１０００ｍＡが計測された時に異常なく通常稼動が行われており、１００ｍＡを下回った場合は異常と判定する。ファンモータ２ａに接点不良が発生した時に電流値は１００ｍＡを下回った電流値が計測され、また接点不良の発生していないファンモータ２ｂ及びファンモータ２ｃは１００ｍＡを大きく上回った約１０００ｍＡの電流値が計測される。このことから、カレントトランス５により計測された電流値とディップスイッチ６による制御仕様を比較した場合、ファンモータ２ａには接点異常が発生しており、ファンモータ２ｂ及びファンモータ２ｃは正常に稼動していることが判定できる。なお、本実施例ではファンモータ２ａの１台のみに接点不良が発生した場合について説明したが、これはファンモータ２ｂ及びファンモータ２ｃを含め、それぞれにおいて接点不良が、又は複数の箇所において接点不良が発生した場合についても、いずれのファンモータ又はカレントトランス５で接点不良が発生したかを特定することができる。
【００７８】
従って本実施の形態により、ディップスイッチにより設定された制御仕様と、カレントトランスを用いて計測された駆動電流から、電源投入直後に駆動電流値と規定の閾値とを比較してファンモータもしくはカレントトランスの接点異常を判定するという効果がある。その結果、接点異常の発生したファンモータまたはカレントトランスを特定することで、交換や修理を行うことができる。
【００７９】
（実施の形態７）
図９は本発明の実施の形態における送風装置の動作を示すブロック図を示す。実施の形態２と同一部分は同一番号を付し詳細な説明は省略する。本実施の形態では、回転制御されるファンモータ２ｃを設け、ファンモータ２ｃとマイコン３を接続するためのコネクタ４ｃを設け、ファンモータ２ａ及びファンモータ２ｂ及びファンモータ２ｃの駆動電流をそれぞれ計測しマイコンに出力するためのカレントトランス５を設け、構成する。
【００８０】
上記構成において、本発明の実施の形態において、電源投入直後にファンモータ２ａ、ファンモータ２ｂ、ファンモータ２ｃの接点異常もしくはカレントトランス５の接点異常であることを判定し、電流計測値が閾値以下であるファンモータ以外のファンモータを停止させる際の動作を説明する。
【００８１】
ディップスイッチ６により設定された制御仕様は電源投入後ファンモータ常時オン、オン時１００％の出力で駆動、３ファン駆動、接続コネクタがコネクタ４ａ及びコネクタ４ｂ及びコネクタ４ｃ、であり、またファンモータが１００％の駆動制御を受けて回転している際の電流計測値は１０００ｍＡ、電流計測値の閾値は１００ｍＡとする。
【００８２】
送風装置に異常がなければファンモータ２ａはマイコンの制御方法の通り通常の駆動を行う。ディップスイッチ６によって設定された制御仕様では、コネクタ４ａ及びコネクタ４ｂ及びコネクタ４ｃに接続されたファンモータ２ａ及びファンモータ２ｂ及びファンモータ２ｃの３ファン駆動であり、カレントトランス５からはコネクタ４ａ及びコネクタ４ｂ及びコネクタ４ｃからの電流が計測されるのが正しい動作となる。
【００８３】
例として、ファンモータ２ａに接点不良箇所８が発生した場合の動作について説明する。但し、電源投入後に一定時間、例えば４秒程度の判定禁止時間を設け、電源投入直後の駆動電流が不安定な区間を除く処理を行った後、異常判定を行うこととする。電源投入直後にファンモータ２ａに異常が発生して回転速度が低下し、カレントトランス５によって計測された駆動電流が閾値を下回る。このとき、異常判定プログラム７はファンモータ２ａに異常が発生したことを判定し、マイコンにファンモータ２ａの駆動制御を停止させる。その結果、異常が発生したファンモータ２ａを速やかに停止させることができる。
【００８４】
従って本実施の形態により、ディップスイッチにより設定された制御仕様と、カレントトランスを用いて計測された駆動電流から、電源投入直後に駆動電流値と規定の閾値とを比較してファンモータもしくはカレントトランスの接点異常を判定した後に、ファンモータを安全に停止させる効果がある。これは例えば、多数の送風装置が設置されている環境において、１台の送風装置が停止してもその他の通常稼動中の送風装置により必要な送風が行われるシステムにおいて有効である。その結果、接点異常の発生したファンモータまたはカレントトランスを特定し、異常の発生したファンモータを安全に停止させた上で、異常箇所の交換や修理を行うことができる。
【００８５】
（実施の形態８）
図９は本発明の実施の形態における送風装置の動作を示すブロック図を示す。実施の形態７と同一部分は同一番号を付し詳細な説明は省略する。
【００８６】
上記構成において、本発明の実施の形態において、電源投入直後にファンモータ２ａ、ファンモータ２ｂ、ファンモータ２ｃの接点異常もしくはカレントトランス５の接点異常であることを判定し、電流計測値が閾値以下であるファンモータ以外のファンモータを継続して稼動し続けさせる際の動作を説明する。
【００８７】
ディップスイッチ６により設定された制御仕様は電源投入後ファンモータ常時オン、オン時６０〜１００％の出力で駆動、３ファン駆動、接続コネクタがコネクタ４ａ及びコネクタ４ｂ及びコネクタ４ｃ、であり、またファンモータが１００％の駆動制御を受けて回転している際の電流計測値は１０００ｍＡ、電流計測値の閾値は１００ｍＡとする。
【００８８】
送風装置に異常がなければファンモータ２ａはマイコンの制御方法の通り通常の駆動を行う。ディップスイッチ６によって設定された制御仕様では、コネクタ４ａ及びコネクタ４ｂ及びコネクタ４ｃに接続されたファンモータ２ａ及びファンモータ２ｂ及びファンモータ２ｃの３ファン駆動であり、カレントトランス５からはコネクタ４ａ及びコネクタ４ｂ及びコネクタ４ｃからの電流が計測されるのが正しい動作となる。
【００８９】
例として、ファンモータ２ａに接点不良箇所８が発生した場合の動作について説明する。ファンモータ２ａに異常が発生して回転速度が低下し、カレントトランス５によって計測された駆動電流が閾値を下回る。このとき、異常判定プログラム７はファンモータ２ａに異常が発生したことを判定した上で、マイコンにファンモータ２ａを１００％での駆動制御させる。その結果、ファンモータ２ａに異常が発生したとしても、ファンモータが完全に駆動できなくなるまでは回転を続けさせることができる。
【００９０】
従って本実施の形態により、ディップスイッチにより設定された制御仕様と、カレントトランスを用いて計測された駆動電流から、電源投入直後に駆動電流値と規定の閾値とを比較してファンモータもしくはカレントトランスの接点異常を判定した後であっても、ファンモータを可能な限り稼動させる効果がある。これは例えば、遠隔に設置された送風装置において、交換作業が行われるまでの時間に可能な限り送風を行う必要があるシステムにおいて有効である。その結果、接点異常の発生したファンモータまたはカレントトランスの交換や修理を行うサービスマンが到着するまでの間、送風装置としての機能を維持させ続けることができる。
【００９１】
（実施の形態９）
図９は本発明の実施の形態における送風装置の動作を示すブロック図を示す。実施の形態７と同一部分は同一番号を付し詳細な説明は省略する。
【００９２】
上記構成において、本発明の実施の形態において、電源投入直後にファンモータ２ａ、ファンモータ２ｂ、ファンモータ２ｃの接点異常もしくはカレントトランス５の接点異常であることを判定し、電流計測値が閾値以下であるファンモータ以外のファンモータを停止させた後に再度稼動させる際の動作を説明する。
【００９３】
ディップスイッチ６により設定された制御仕様は電源投入後ファンモータ常時オン、オン時６０〜１００％の出力で駆動、３ファン駆動、接続コネクタがコネクタ４ａ及びコネクタ４ｂ及びコネクタ４ｃ、であり、またファンモータが１００％の駆動制御を受けて回転している際の電流計測値は１０００ｍＡ、電流計測値の閾値は１００ｍＡとする。
【００９４】
送風装置に異常がなければファンモータ２ａはマイコンの制御方法の通り通常の駆動を行う。ディップスイッチ６によって設定された制御仕様では、コネクタ４ａ及びコネクタ４ｂ及びコネクタ４ｃに接続されたファンモータ２ａ及びファンモータ２ｂ及びファンモータ２ｃの３ファン駆動であり、カレントトランス５からはコネクタ４ａ及びコネクタ４ｂ及びコネクタ４ｃからの電流が計測されるのが正しい動作となる。
【００９５】
例として、ファンモータ２ａに接点不良箇所８が発生した場合の動作について説明する。但し、電源投入後に一定時間、例えば４秒程度の判定禁止時間を設け、電源投入直後の駆動電流が不安定な区間を除く処理を行った後、異常判定を行う。電源投入直後にファンモータ２ａに異常が発生して回転速度が低下し、カレントトランス５によって計測された駆動電流が閾値を下回る。このとき、異常判定プログラム７はファンモータ２ａに異常が発生したことを判定した上で、３０秒間の駆動出力中断の後に、駆動制御を再開する。その結果、ファンモータ２ａに異常が発生し停止したとしても、ファンモータを再度駆動させることができる。
【００９６】
これは例えば、サーモスタットが装着されたファンモータにおいて効果がある。ファンモータ内部の電気的なショートにより大電流が流れ、ファンモータが加熱されることでサーモスタットが働いてしまった場合、ファンモータの駆動回路がサーモスタットにより遮断されるため、ファンモータには電流が流れなくなり、カレントトランス５による電流計測も閾値を下回る。駆動電流が停止することでファンモータが十分に冷却され、それに伴いサーモスタットも回路を再度通電できる温度まで低下すると、加熱により停止したファンモータが十分に冷却された後に再度稼動を開始することができる。
【００９７】
従って本実施の形態により、ディップスイッチにより設定された制御仕様と、カレントトランスを用いて計測された駆動電流から、電源投入直後に駆動電流値と規定の閾値とを比較してファンモータもしくはカレントトランスの接点異常を判定した後であっても、３０秒間の駆動出力中断の後に駆動制御を再開させることでファンモータの異常から復帰させる効果がある。その結果、発熱によりファンモータのサーモスタットが働き、回路が遮断されるの接点異常が発生してしまった場合でも、接点異常の発生したファンモータまたはカレントトランスの交換や修理を行うサービスマンが到着するまでの間、送風装置としての機能を維持させるために、ファンモータの冷却を待って再度駆動を続けさせることができる。
【００９８】
（実施の形態１０）
図１０は本発明の実施の形態における送風装置の動作を示すブロック図を示す。実施の形態６と同一部分は同一番号を付し詳細な説明は省略する。
【００９９】
上記構成において、本発明の実施の形態において、ファンモータ稼動中にカレントトランス５によるファンモータ２ａ、ファンモータ２ｂ、ファンモータ２ｃのいずれか又は複数の電流計測値が閾値以下となれば、該当するファンモータの故障もしくは、該当するカレントトランス５の故障を判定する際の動作を説明する。
【０１００】
ディップスイッチ６により設定された制御仕様は電源投入後ファンモータ常時オン、オン時１００％の出力で駆動、３ファン駆動、接続コネクタがコネクタ４ａ及びコネクタ４ｂ及びコネクタ４ｃ、であり、またファンモータが１００％の駆動制御を受けて回転している際の電流計測値は１０００ｍＡとする。
【０１０１】
送風装置に異常がなければファンモータ２ａはマイコンの制御方法の通り通常の駆動を行う。ディップスイッチ６によって設定された制御仕様では、コネクタ４ａ及びコネクタ４ｂ及びコネクタ４ｃに接続されたファンモータ２ａ及びファンモータ２ｂ及びファンモータ２ｃの３ファン駆動であり、カレントトランス５からはコネクタ４ａ及びコネクタ４ｂ及びコネクタ４ｃからの電流が計測されるのが正しい動作となる。しかし、ファンモータのうちのいずれか又は複数において、ファンモータの故障に起因する電流測定値の測定不良または動作の異常が発生し、制御仕様と電流測定値との間に齟齬が起こり得る。
【０１０２】
例として、ファンモータ２ａに故障が発生した場合の動作について説明する。まず、測定された電流値には閾値を設けてあり、例えば１００ｍＡとした場合、１００ｍＡ〜１０００ｍＡが計測された時に異常なく通常稼動が行われており、１００ｍＡを下回った場合は異常と判定する。ファンモータ２ａの駆動制御中において故障が発生した時には電流値が１００ｍＡを下回った電流値が計測され、また故障の発生していないファンモータ２ｂ及びファンモータ２ｃは１００ｍＡを大きく上回った約１０００ｍＡの電流値が計測される。このことから、カレントトランス５により計測された電流値とディップスイッチ６による制御仕様を比較した場合、ファンモータ２ａに故障が発生しており、ファンモータ２ｂ及びファンモータ２ｃは正常に稼動していることが判定できる。なお、本実施例ではファンモータ２ａの１台のみに故障が発生した場合について説明したが、これはファンモータ２ｂ及びファンモータ２ｃを含め、それぞれのファンモータにおいて故障が、又は複数のファンモータにおいて故障が発生した場合についても、いずれのファンモータにおいて故障が発生したかを特定することができる。
【０１０３】
従って本実施の形態により、ファンモータ駆動制御中に、ディップスイッチにより設定された制御仕様と、カレントトランスを用いて計測された駆動電流から、駆動電流値と規定の閾値とを比較することで、ファンモータもしくはカレントトランスの故障を判定するという効果がある。その結果、故障の発生したファンモータまたはカレントトランスを特定し、交換や修理を行うことができる。
【０１０４】
（実施の形態１１）
図１０は本発明の実施の形態における送風装置の動作を示すブロック図を示す。実施の形態７と同一部分は同一番号を付し詳細な説明は省略する。
【０１０５】
上記構成において、本発明の実施の形態において、ファンモータ稼動中にファンモータの故障もしくはカレントトランス５の故障であることを判定し、電流計測値が閾値以下であるファンモータ以外のファンモータを停止させる際の動作を説明する。
【０１０６】
ディップスイッチ６により設定された制御仕様は電源投入後ファンモータ常時オン、オン時１００％の出力で駆動、３ファン駆動、接続コネクタがコネクタ４ａ及びコネクタ４ｂ及びコネクタ４ｃ、であり、またファンモータが１００％の駆動制御を受けて回転している際の電流計測値は１０００ｍＡ、電流計測値の閾値は１００ｍＡとする。
【０１０７】
送風装置に異常がなければファンモータ２ａはマイコンの制御方法の通り通常の駆動を行う。ディップスイッチ６によって設定された制御仕様では、コネクタ４ａ及びコネクタ４ｂ及びコネクタ４ｃに接続されたファンモータ２ａ及びファンモータ２ｂ及びファンモータ２ｃの３ファン駆動であり、カレントトランス５からはコネクタ４ａ及びコネクタ４ｂ及びコネクタ４ｃからの電流が計測されるのが正しい動作となる。
【０１０８】
例として、ファンモータ２ａに故障が発生した場合の動作について説明する。稼動中にファンモータ２ａに故障が発生して回転速度が低下し、カレントトランス５によって計測された駆動電流が閾値を下回る。このとき、異常判定プログラム７はファンモータ２ａに故障が発生したことを判定し、マイコンにファンモータ２ａの駆動制御を停止させる。その結果、故障が発生したファンモータ２ａを速やかに駆動を停止させることができる。
【０１０９】
従って本実施の形態により、ディップスイッチにより設定された制御仕様と、カレントトランスを用いて計測された駆動電流から、電源投入直後に駆動電流値と規定の閾値とを比較してファンモータもしくはカレントトランスの接点異常を判定するという効果がある。これは例えば、多数の送風装置が設置されている環境において、１台の送風装置が停止してもその他の通常稼動中の送風装置により必要な送風が行われるシステムにおいて有効である。その結果、故障の発生したファンモータまたはカレントトランスを特定し、異常の発生したファンモータを安全に停止させた上で、故障箇所の交換や修理を行うことができる。
【０１１０】
（実施の形態１２）
図１０は本発明の実施の形態における送風装置の動作を示すブロック図を示す。実施の形態８と同一部分は同一番号を付し詳細な説明は省略する。
【０１１１】
上記構成において、本発明の実施の形態において、ファンモータ稼動中にファンモータの故障もしくはカレントトランス５の故障であることを判定し、電流計測値が閾値以下であるファンモータ以外のファンモータを継続して稼動し続けさせる際の動作を説明する。
【０１１２】
ディップスイッチ６により設定された制御仕様は電源投入後ファンモータ常時オン、オン時６０〜１００％の出力で駆動、３ファン駆動、接続コネクタがコネクタ４ａ及びコネクタ４ｂ及びコネクタ４ｃ、であり、またファンモータが１００％の駆動制御を受けて回転している際の電流計測値は１０００ｍＡ、電流計測値の閾値は１００ｍＡとする。
【０１１３】
送風装置に異常がなければファンモータ２ａはマイコンの制御方法の通り通常の駆動を行う。ディップスイッチ６によって設定された制御仕様では、コネクタ４ａ及びコネクタ４ｂ及びコネクタ４ｃに接続されたファンモータ２ａ及びファンモータ２ｂ及びファンモータ２ｃの３ファン駆動であり、カレントトランス５からはコネクタ４ａ及びコネクタ４ｂ及びコネクタ４ｃからの電流が計測されるのが正しい動作となる。
【０１１４】
例として、ファンモータ２ａに故障が発生した場合の動作について説明する。ファンモータ２ａに故障が発生して回転速度が低下し、カレントトランス５によって計測された駆動電流が閾値を下回る。このとき、異常判定プログラム７はファンモータ２ａに故障が発生したことを判定した上で、マイコンにファンモータ２ａを１００％での駆動制御させる。その結果、ファンモータ２ａに故障が発生したとしても、ファンモータが完全に回転できなくなるまでは駆動制御を続けることができる。
【０１１５】
従って本実施の形態により、ディップスイッチにより設定された制御仕様と、カレントトランスを用いて計測された駆動電流から、電源投入直後に駆動電流値と規定の閾値とを比較してファンモータもしくはカレントトランスの接点異常を判定した後であっても、ファンモータを可能な限り稼動させる効果がある。これは例えば、遠隔に設置された送風装置において、交換作業が行われるまでの時間に可能な限り送風を行う必要があるシステムにおいて有効である。その結果、故障の発生したファンモータまたはカレントトランスの交換や修理を行うサービスマンが到着するまでの間、送風装置としての機能を維持させ続けることができる。
【０１１６】
（実施の形態１３）
図１０は本発明の実施の形態における送風装置の動作を示すブロック図を示す。実施の形態９と同一部分は同一番号を付し詳細な説明は省略する。
【０１１７】
上記構成において、本発明の実施の形態において、ファンモータ稼動中にファンモータの故障もしくはカレントトランス５の故障であることを判定し、電流計測値が閾値以下であるファンモータ以外のファンモータを停止させた後に再度稼動させる際の動作を説明する。
【０１１８】
ディップスイッチ６により設定された制御仕様は電源投入後ファンモータ常時オン、オン時６０〜１００％の出力で駆動、３ファン駆動、接続コネクタがコネクタ４ａ及びコネクタ４ｂ及びコネクタ４ｃ、であり、またファンモータが１００％の駆動制御を受けて回転している際の電流計測値は１０００ｍＡ、電流計測値の閾値は１００ｍＡとする。
【０１１９】
送風装置に異常がなければファンモータ２ａはマイコンの制御方法の通り通常の駆動を行う。ディップスイッチ６によって設定された制御仕様では、コネクタ４ａ及びコネクタ４ｂ及びコネクタ４ｃに接続されたファンモータ２ａ及びファンモータ２ｂ及びファンモータ２ｃの３ファン駆動であり、カレントトランス５からはコネクタ４ａ及びコネクタ４ｂ及びコネクタ４ｃからの電流が計測されるのが正しい動作となる。
【０１２０】
例として、ファンモータ２ａに故障が発生した場合の動作について説明する。ファンモータ２ａに故障が発生して回転速度が低下し、カレントトランス５によって計測された駆動電流が閾値を下回る。このとき、異常判定プログラム７はファンモータ２ａに故障が発生したことを判定した上で、３０秒間の駆動出力中断の後に、駆動制御を再開する。その結果、ファンモータ２ａに故障が発生し停止したとしても、ファンモータを再度駆動させることができる。
【０１２１】
これは例えば、サーモスタットが装着されたファンモータにおいて効果がある。ファンモータ内部の電気的なショートにより大電流が流れ、ファンモータが加熱されることでサーモスタットが働いてしまった場合、ファンモータの駆動回路がサーモスタットにより遮断されるため、ファンモータには電流が流れなくなり、カレントトランス５による電流計測も閾値を下回る。駆動電流が停止することでファンモータが十分に冷却され、それに伴いサーモスタットも回路を再度通電できる温度まで低下すると、加熱により停止したファンモータが十分に冷却された後に再度稼動を開始することができる。
【０１２２】
従って本実施の形態により、ディップスイッチにより設定された制御仕様と、カレントトランスを用いて計測された駆動電流から、電源投入直後に駆動電流値と規定の閾値とを比較してファンモータもしくはカレントトランスの接点異常を判定した後であっても、３０秒間の駆動出力中断の後に駆動制御を再開させることでファンモータの異常から復帰させる効果がある。その結果、故障に起因する発熱によりファンモータのサーモスタットが働き、回路が遮断されてしまった場合でも、故障の発生したファンモータまたはカレントトランスの交換や修理を行うサービスマンが到着するまでの間、送風装置としての機能を維持させるために、ファンモータの冷却を待って再度駆動を続けさせることができる。
【産業上の利用可能性】
【０１２３】
本発明にかかる送風装置は、ファンフィルタユニットでも同様の手段を用いることで、異常判定を行うことができる。
【図面の簡単な説明】
【０１２４】
【図１】本発明の実施の形態１の送風装置の構成を示す斜視図
【図２】本発明の実施の形態１の送風装置の制御回路の構成を示す斜視図
【図３】同本発明の実施の形態１の送風装置の異常判別方法の動作を示すブロック図
【図４】本発明の実施の形態２の送風装置の構成を示す斜視図
【図５】同本発明の実施の形態２の送風装置の異常判別方法の動作を示すブロック図
【図６】同本発明の実施の形態３の送風装置の異常判別方法の動作を示すブロック図
【図７】同本発明の実施の形態４の送風装置の異常判別方法の動作を示すブロック図
【図８】同本発明の実施の形態５の送風装置の異常判別方法の動作を示すブロック図
【図９】同本発明の実施の形態６，７，８，９の送風装置の異常判別方法の動作を示すブロック図
【図１０】同本発明の実施の形態１０，１１，１２，１３の送風装置の異常判別方法の動作を示すブロック図
【符号の説明】
【０１２５】
１    本体
２ａ  ファンモータ
２ｂ  ファンモータ
２ｃ  ファンモータ
３    マイコン
４ａ  コネクタ
４ｂ  コネクタ
４ｃ  コネクタ
５    カレントトランス
６    ディップスイッチ
７    異常判定プログラム
８    接続不良箇所
【図１】
2008092661.tif 000003
【図２】
2008092661.tif 000004
【図３】
2008092661.tif 000005
【図４】
2008092661.tif 000006
【図５】
2008092661.tif 000007
【図６】
2008092661.tif 000008
【図７】
2008092661.tif 000009
【図８】
2008092661.tif 000010
【図９】
2008092661.tif 000011
【図１０】
2008092661.tif 000012